(57)【要約】【課題】  ＰＨＳ基地局の増設の必要性や、ＰＨＳシステム間での影響等を判定するための材料を容易に得ることができるＰＨＳ電話機を提供する。【解決手段】  ＰＨＳ電話機１は、受信レベル検出手段１１で基地局から受信する信号のレベルを周波数毎に検出し、受信レベル比較手段１２で当該検出した受信レベルを閾値と比較し、周波数判定手段１３で閾値以下の受信レベルの周波数を空きチャネルとして判定する或いは閾値を上回る受信レベルの周波数を使用中チャネルとして判定し、画面４或いはファイブＩ／Ｆ５から判定結果を出力する。【選択図】  図１
2008271359.tif 000002
【特許請求の範囲】
【請求項１】
基地局から受信する信号のレベルを周波数毎に検出する機能と、当該検出した受信レベルを閾値と比較する機能と、閾値以下の受信レベルの周波数を空きとして判定する又は閾値を上回る受信レベルの周波数を使用中として判定する機能と、判定結果を出力する機能と、を有することを特徴とするＰＨＳ電話機。
【発明の詳細な説明】
【技術分野】
【０００１】
本発明は、ＰＨＳシステムに用いる電話機に関し、特に、信号周波数の使用状況を測定する機能を有するＰＨＳ電話機に関する。
【背景技術】
【０００２】
ＰＨＳシステムは、比較的小さな無線通信エリアを構成する基地局（ＣＳ：Cell Station）を所要の個数設置し、これら基地局をバックボーンネットワークで接続した無線通信システムであり、無線通信エリアに収容されたＰＨＳ電話機が基地局と無線通信することで、ＰＨＳ電話機同士の通信や外部回線を介した通信が行えるシステムである。
【０００３】
このようなＰＨＳシステムは、事業所用の無線通信システムとして広く利用されており、事業所内の所要箇所に基地局を設置することにより、利用者が携帯するＰＨＳ電話機により内線や外線の通信ができるようになっている。
【０００４】
ＰＨＳシステムに関して、基地局が保有する３つの通信チャネルがデータ通信で全て占有されて音声通信ができなくなることを防止するために、交換機（ＰＢＸ）において基地局の通信チャネルの使用状況を管理して通信接続の規制を行う発明が提案されている（特許文献１参照。）。
【特許文献１】特開平１１―３２３７６号公報
【発明の開示】
【発明が解決しようとする課題】
【０００５】
例えば、事業所にＰＨＳシステムを導入する際に、周辺で周波数にどの程度の空きがあるかと言った状況を事前に確認することができれば、システム導入後のトラブル等を判断するための材料とすることができる。また、同様に、事業所にＰＨＳシステムを導入した後でも、周辺の基地局がどの程度通信に使用されているか、周波数はどの程度使用されているかといった状況を確認することができれば、基地局増設の必要性等を判断するための材料とすることができる。
【０００６】
従来、ＰＨＳ電話機は、接続している基地局の識別情報（ＣＳ―ＩＤ）、受信電界強度、使用している周波数を検出する機能を有しているが、接続していない基地局のチャネル使用状況や、周辺の周波数の空き状況と言った周辺の環境状況を検出する機能は有していない。
また、ＰＨＳ関連のフィールド測定器を用いると、周辺に設置されている基地局の識別情報をモニタして何台の基地局が設置されているかを検出することができるが、実際に通信に使用されている基地局の台数や空き周波数の状況を検出することはできない。
【０００７】
ここで、事業所用ＰＨＳシステムがある場所に新たに他の事業所用ＰＨＳシステムを設ける場合に、これらシステム間でどのような影響があるかを判定する必要がある。
また、既存の事業所用ＰＨＳシステムについても、基地局の増設が必要であるか否かを判定する必要がある。
【０００８】
しかしながら、従来にあっては、周辺の通信環境をも含めて周波数の使用状況、或いは、基地局の使用状況を手軽に判定するための手段がなく、事前調査を行うことが容易ではなかった。
【０００９】
本発明は、上記従来の事情に鑑みなされたものであり、ＰＨＳ基地局の増設の必要性を判定するための材料を容易に得ることができるＰＨＳ電話機を提供することを目的としている。
また、本発明は、上記従来の事情に鑑みなされたものであり、ＰＨＳシステム間での影響を判定するための材料を容易に得ることができるＰＨＳ電話機を提供することを目的としている。
【課題を解決するための手段】
【００１０】
本発明に係るＰＨＳ電話機は、基地局から受信する信号のレベルを周波数毎に検出する機能と、当該検出した受信レベルを閾値と比較する機能と、閾値以下の受信レベルの周波数を空きチャネルとして判定する又は閾値を上回る受信レベルの周波数を使用中チャネルとして判定する機能と、判定結果を出力する機能と、を有することを特徴とする。
【発明の効果】
【００１１】
本発明に係るＰＨＳ電話機によると、基地局（すなわち、自らが存する通信エリアの基地局、更には、信号を受信した周辺の他の基地局）から受信する信号のレベルに基づいて、周辺の周波数の使用状況を検出することができるため、ＰＨＳシステム間でどのような影響があるか、  基地局の増設が必要であるかを判断する材料を容易に得ることができる。
【発明を実施するための最良の形態】
【００１２】
本発明を実施例に基づいて具体的に説明する。
図１は本発明の一実施例に係るＰＨＳ電話機の主要な機能構成を示し、図２はその制御部の主要な機能構成を示している。
ＰＨＳ電話機１は、音声入力を受け付ける送話器２、音声を出力する受話器３、画像情報を表示出力するＬＣＤ画面４、外部装置と接続するための外部インタフェース（Ｉ／Ｆ）５、送信部６及び受信部７を有するＰＨＳ無線機８、種々な機能処理を実行する制御部９、データの記憶領域となる内部メモリ１０を有している。
【００１３】
制御部９は、図２に示すように、受信部７による無線電波の受信レベルを周波数毎に検出する受信レベル検出手段１１、当該検出した周波数毎の受信レベルを予め設定された閾値と比較する受信レベル比較手段１２、当該周波数毎の比較結果に基づく判定をしてその結果を内部メモリ１０に格納する周波数判定手段１３、を有している。
また、制御部９は、図２に示すように、ＰＨＳ電話機１の周辺の基地局（ＣＳ）を検索するＣＳ検索手段１４、検索された基地局の使用状況を判定してその結果を内部メモリ１０に格納する使用判定手段１５、を有している。
【００１４】
なお、本実施例では、制御部９の各機能手段１１〜１５は、ＰＨＳ電話機１に備えられたコンピュータハードウエアが本発明に係る制御プログラムを実行することで構成されているが、これら機能手段をそれぞれハードウエアモジュールで構成するようにしてもよい。
【００１５】
次に、図３を参照して、上記構成のＰＨＳ電話機１による周辺の周波数状況を確認する処理を説明する。
まず、受信レベル検出手段１１が、ＰＨＳ電話機１に測定用として予め設定されている複数の周波数の内の１つを設定し（ステップＳ１）、当該周波数についての受信レベルを検出する（ステップＳ２）。
【００１６】
そして、受信レベル比較手段１２が、予め設定されている閾値（本例では、２６ｄＢμＶ）と上記検出された受信レベルとを比較し（ステップＳ３）、当該比較結果に基づいて、周波数判定手段１３が、受信レベルが閾値以下の場合には当該周波数を「空き」として内部メモリ１０に記録し（ステップＳ４）、受信レベルが閾値を上回る場合には当該周波数を「使用中」として内部メモリ１０に記録する（ステップＳ５）。
【００１７】
そして、受信レベル検出手段１１が、全ての周波数について上記処理を行ったかを判断し（ステップＳ６）、全て行っていない場合には測定用の周波数を更新して（ステップＳ７）、上記処理ステップＳ２〜７を繰り返し行う。
そして、内部メモリ１０に記録された情報は、例えばＰＨＳ電話機１の操作ボタンからの利用者の指示に基づいて、図４に示すように、外部Ｉ/Ｆ５からパーソナルコンピュータ等へ転送されて表示出力され（ステップＳ８）、或いは、ＬＣＤ画面４に表示出力される（ステップＳ９）。
【００１８】
すなわち、上記の処理によって、ＰＨＳ電話機１が、周辺の基地局（ＰＨＳ電話機１を通信エリアに収容する基地局、更には、当該通信エリアに隣接する通信エリアを形成する基地局）から受信する電波に基づいて、当該ＰＨＳ電話機１の周辺での周波数の使用状況が周波数毎に内部メモリ１０に記録され、これが表示出力される。
なお、本例では、各周波数について「使用中」と「空き」の両方を判定して表示するようにしたが、本発明ではいずれか一方だけでもよい。
【００１９】
次に、図５を参照して、上記構成のＰＨＳ電話機１による周辺の基地局の使用状況を確認する処理を説明する。
まず、ＣＳ検索手段１４が、基地局（ＣＳ）から送信されているその識別情報（ＣＳ-ＩＤ）を受信することで周辺のＣＳの検索を行い（ステップＳ１１）、受信した各基地局のＣＳ-ＩＤを内部メモリ１０に記録する（ステップＳ１２）。
【００２０】
そして、使用判定手段１５が、内部メモリ１０に記録したＣＳ-ＩＤの内の１つを用いて該当する基地局からの報知情報を受信し（ステップＳ１３、Ｓ１４）、当該報知情報で示される情報に基づいて当該基地局が使用中であるか否かの状況を内部メモリ１０に記録する（ステップＳ１５、Ｓ１６、Ｓ１７）。すなわち、受信した報知情報により基地局が設定されている３つの通信チャネルを全て使用中である場合には当該ＣＳ-ＩＤで示される基地局を「使用中」として内部メモリ１０に記録し（ステップＳ１６）、受信した報知情報により基地局が設定されている３つの通信チャネルを全て使用していない場合には当該ＣＳ-ＩＤで示される基地局を「未使用」として内部メモリ１０に記録する（ステップＳ１７）。
【００２１】
そして、使用判定手段１５が、内部メモリ１０に記録した全てのＣＳ-ＩＤについて上記処理を行ったかを判断し（ステップＳ１３）、全て行っていない場合には記録されている次のＣＳ-ＩＤについて上記処理ステップＳ１４〜１７を繰り返し行う。
そして、内部メモリ１０に記録された情報は、例えばＰＨＳ電話機１の操作ボタンからの利用者の指示に基づいて、図６に示すように、外部Ｉ/Ｆ５からパーソナルコンピュータ等へ転送されて表示出力され（ステップＳ１８）、或いは、ＬＣＤ画面４に表示出力される（ステップＳ１９）。
【００２２】
すなわち、上記の処理によって、ＰＨＳ電話機１が、周辺の基地局（ＰＨＳ電話機１を通信エリアに収容する基地局、更には、当該通信エリアに隣接する通信エリアを形成する基地局）から受信する電波に基づいて、当該ＰＨＳ電話機１の周辺での各基地局の使用状況が基地局毎に内部メモリ１０に記録され、これが表示出力される。
なお、本例では、各基地局について「使用中」と「未使用」の両方を判定して表示するようにしたが、本発明ではいずれか一方だけでもよい。
【図面の簡単な説明】
【００２３】
【図１】本発明の一実施例に係るＰＨＳ電話機の機能構成図である。
【図２】本発明の一実施例に係るＰＨＳ電話機制御部の機能構成図である。
【図３】本発明の一実施例に係る周辺周波数状況の確認処理を説明する図である。
【図４】周辺周波数状況の確認結果の表示例を示す図である。
【図５】本発明の一実施例に係る周辺基地局使用状況の確認処理を説明する図である。
【図６】周辺基地局使用状況の確認結果の表示例を示す図である。
【符号の説明】
【００２４】
１：ＰＨＳ電話機、  ４：ＬＣＤ画面、
５：外部Ｉ／Ｆ、  ７：受信部、
８：ＰＨＳ無線機、  ９：制御部、
１１：受信レベル検出手段、  １２：受信レベル比較手段、
１３：周波数判定手段、  １４：ＣＳ検索手段、
１５：仕様判定手段、
【図１】
2008271359.tif 000003
【図２】
2008271359.tif 000004
【図３】
2008271359.tif 000005
【図４】
2008271359.tif 000006
【図５】
2008271359.tif 000007
【図６】
2008271359.tif 000008